(57)【要約】【課題】警棒の筒体内に微粉末を充填し、これをガス圧により噴射できるようにする。【解決手段】中空棒状の筒体内に微粉末を充填するとともに、筒体の一方の開口端を薄い封板を介在させて覆い、また他方の端部寄りには微粉末圧し出し用の小型ガスボンベを内臓した。  これにより警棒として使用できるほかに警備中必要に応じて犯人などに向けて微粉末を放射して威嚇することができ、また消火薬剤微粉末を充填してある場合には、火災発生を発見した際に、ただちに初期消火活動を実施することができる。【選択図】図１
2004205096.tif 000002
【特許請求の範囲】
【請求項１】
中空棒状の筒体内に微粉末を充填するとともに、筒体の一方の開口端を薄い封板を介在させて覆い、また他方の端部寄りには微粉末圧し出し用の小型ガスボンベを内臓したことを特徴とする警棒。
【請求項２】
筒体の他方の端部寄りに内臓された小型ガスボンベは、筒体の他方の端部寄りの部分に筒体の周方向に回転可能なグリップを有し、しかも該グリップの回転に伴って、上記小型ガスボンベの開口封板を開封させる開封手段を有するものであるところの請求項１に記載の警棒。
【請求項３】
小型ガスボンベの開口封板を開封させる開封手段が、グリップの回転に伴って小型ガスボンベを、先端を小型ガスボンベ方向に向けて筒体奥方に固定された穿針体に向けて進行させる構造のものであるところの請求項２に記載の警棒。
【請求項４】
中空棒状の筒体内に微粉末を充填するとともに先端寄りに封板を介して筒体内に加圧圧し出し用の圧力ガスを蓄圧し、しかも筒体内先端部寄りには上記封板を破封して微粉末を放射させる開封手段を有することを特徴とする警棒。
【請求項５】
開封手段がグリップの回転に伴って微粉末および圧力ガスを気密に閉塞する封板を、先端を封板方向に向けて固定された穿針体に向けて進行させる構造のものであるところの請求項４に記載の警棒。
【請求項６】
中空棒状の筒体内に充填される微粉末が消火薬剤であって、消火器を兼用できるものであるところの請求項１〜５の何れか１に記載の警棒。
【請求項７】
中空棒状の筒体内に充填される微粉末は、粒子径４５μｍ以下の粒子含有量が７５％以上であるところの請求項１〜６の何れか１に記載の警棒。
【請求項８】
中空棒状の筒体内に充填される微粉末は、粒子径３８μｍ以下の粒子含有量が９０％以上であるところの請求項１〜６の何れか１に記載の警棒。
【請求項９】
中空棒状の筒体内に消火薬剤微粉末を充填するとともに、筒体の一方の開口端を薄い封板を介在させて覆い、また他方の端部寄りには微粉末圧し出し用の小型ガスボンベを内臓したことを特徴とする消火器。
【請求項１０】
筒体の他方の端部寄りに内臓された小型ガスボンベは、筒体の他方の端部寄りの部分に筒体の周方向に回転可能なグリップを有し、しかも該グリップの回転に伴って、上記小型ガスボンベの開口封板を開封させる開封手段を有するものであるところの請求項８に記載の消火器。
【請求項１１】
小型ガスボンベの開口封板を開封させる開封手段が、グリップの回転に伴って小型ガスボンベを、先端を小型ガスボンベ方向に向けて筒体奥方に固定された穿針体に向けて進行させる構造のものであるところの請求項９又は請求項１０に記載の消火器。
【請求項１２】
中空棒状の筒体内に消火剤微粉末を充填するとともに先端寄りに封板を介して筒体内に加圧圧し出し用の圧力ガスを蓄圧し、しかも筒体内先端部寄りには上記封板を破封して消火剤微粉末を放射させる開封手段を有することを特徴とする消火器。
【請求項１３】
開封手段がグリップの回転に伴って消火剤微粉末および圧力ガスを気密に閉塞する封板を、先端を封板方向に向けて固定された穿針体に向けて進行させる構造のものであるところの請求項１２に記載の消火器。
【請求項１４】
中空棒状の筒体内に充填される消火剤微粉末は、粒子径３８μｍ以下の粒子含有量が９０％以上であるところの請求項９〜１３の何れか１に記載の消火器。
【発明の詳細な説明】
【０００１】
【発明の属する技術分野】
本発明は、一般住居やマンション、会社あるいは工場、その他公共施設などの建物内、あるいは屋外施設、さらには街中の警備に際して警備員や警察官らが携帯して用いるための警棒もしくは消火器、あるいは消火器を兼用することが可能な警棒に関し、侵入者等に対する威嚇効果が高く、また火災発生箇所に対する速消作業を可能とすることを目的とする。
【０００２】
【従来の技術】
警備員や警察官らが携帯する警棒にも種々の工夫がなされており、犯罪者などに対して威嚇効果を高めるために、従来は例えば金属の細筒内に、落ち難い着色剤をカプセル内に内包させた撃退弾およびその発射装置を内臓させて、非常時に音で威嚇すると同時に犯罪者等に着色剤を付着させるようにした撃退具が知られている（特開平８−１６９４５号公報）。
【０００３】
またこん棒として使用するほかに弾丸の発射も可能とした警棒（特開平５−６０４９４号公報）や、警棒本体の握り柄の根本に嵌着される環体と、この環体から側方への張り出し部とを有するアタッチメントを、可動構造の掛け合わせ手段及びこれに係合する手段からなる結合装置を介するなどにより取り付けた構造の多機能化された警棒（特開平５−９９５９５号公報）なども知られている。
【０００４】
【発明が解決しようとする課題】
しかしながら、上記した特開平８−１６９４５号公報に記載のものは、音による威嚇と着色剤発射では、犯罪者との距離が遠いと殆ど効果が無く、また反対に近すぎる場合には警備員らにとってきわめて危険であり、犯罪者の撃退手段として必ずしも有効な手段ではない。  また特開平５−６０４９４号公報に記載のものは、火薬取締法等の適用対象となる武器であるために汎用性がなく、さらに特開平５−９９５９５号公報に記載のものも、構造があまりにも複雑で製造コストが高く実用性に欠けるものといわざるを得ない。
【０００５】
【課題を解決するための手段】
そこで本発明は、上記した従来技術における問題点を解決し、比較的簡単な構造で低コストありながら撃退効果が大きく、しかも場合によっては初期火災の消火にも適用可能にしたものであって、具体的には請求項１の発明は、中空棒状の筒体内に微粉末を充填するとともに、筒体の一方の開口端を薄い封板を介在させて覆い、また他方の端部寄りには微粉末圧し出し用の小型ガスボンベを内臓したことを特徴とする警棒に関する。
【０００６】
また請求項２の発明は、筒体の他方の端部寄りに内臓された小型ガスボンベは、筒体の他方の端部寄りの部分に筒体の周方向に回転可能なグリップを有し、しかも該グリップの回転に伴って、上記小型ガスボンベの開口封板を開封させる開封手段を有するものであるところの請求項１に記載の警棒に関する。
【０００７】
さらに請求項３の発明は、小型ガスボンベの開口封板を開封させる開封手段が、グリップの回転に伴って小型ガスボンベを、先端を小型ガスボンベ方向に向けて筒体奥方に固定された穿針体に向けて進行させる構造のものであるところの請求項２に記載の警棒に関する。
【０００８】
さらに請求項４の発明は、中空棒状の筒体内に微粉末を充填するとともに先端寄りに封板を介して筒体内に加圧圧し出し用の圧力ガスを蓄圧し、しかも筒体内先端部寄りには上記封板を破封して微粉末を放射させる開封手段を有することを特徴とする警棒に関する。
【０００９】
さらに請求項５の発明は、開封手段がグリップの回転に伴って微粉末および圧力ガスを気密に閉塞する封板を、先端を封板方向に向けて固定された穿針体に向けて進行させる構造のものであるところの請求項４に記載の警棒に関する。  さらに請求項６の発明は、中空棒状の筒体内に充填される微粉末が消火薬剤であって、消火器を兼用できるものであるところの請求項１〜５の何れか１に記載の警棒に関する。
【００１０】
さらに請求項７の発明は、中空棒状の筒体内に充填される微粉末が、粒子径４５μｍ以下の粒子含有量が７５％以上であるところの請求項１〜６の何れか１に記載の警棒に関する。  さらに請求項８の発明は、中空棒状の筒体内に充填される微粉末が、粒子径３８μｍ以下の粒子含有量が９０％以上であるところの請求項１〜６の何れか１に記載の警棒に関する。
【００１１】
さらに請求項９の発明は、中空棒状の筒体内に消火薬剤微粉末を充填するとともに、筒体の一方の開口端を薄い封板を介在させて覆い、また他方の端部寄りには微粉末圧し出し用の小型ガスボンベを内臓したことを特徴とする消火器に関する。  さらに請求項１０の発明は、筒体の他方の端部寄りに内臓された小型ガスボンベは、筒体の他方の端部寄りの部分に筒体の周方向に回転可能なグリップを有し、しかも該グリップの回転に伴って、上記小型ガスボンベの開口封板を開封させる開封手段を有するものであるところの請求項８に記載の消火器に関する。
【００１２】
さらに請求項１１の発明は、小型ガスボンベの開口封板を開封させる開封手段が、グリップの回転に伴って小型ガスボンベを、先端を小型ガスボンベ方向に向けて筒体奥方に固定された穿針体に向けて進行させる構造のものであるところの請求項９又は請求項１０に記載の消火器に関する。  さらに請求項１２の発明は、中空棒状の筒体内に消火剤微粉末を充填するとともに先端寄りに封板を介して筒体内に加圧圧し出し用の圧力ガスを蓄圧し、しかも筒体内先端部寄りには上記封板を破封して消火剤微粉末を放射させる開封手段を有することを特徴とする消火器に関する。
【００１３】
さらに請求項１３の発明は、開封手段がグリップの回転に伴って消火剤微粉末および圧力ガスを気密に閉塞する封板を、先端を封板方向に向けて固定された穿針体に向けて進行させる構造のものであるところの請求項１２に記載の消火器に関する。  さらに請求項１４の発明は、中空棒状の筒体内に充填される消火剤微粉末は、粒子径３８μｍ以下の粒子含有量が９０％以上であるところの請求項９〜１３の何れか１に記載の消火器に関する。
【００１４】
上記した請求項１〜８の構成においては、筒先を犯人などに向けるとともに、筒体の他方の端部寄りの部分に有するところの、筒体の周方向に回転可能なグリップを回転させつつ小型ガスボンベの先端を筒体奥方に固定された穿針体に向けて進行させて、小型ガスボンベの開口封板を穿針体によって開封させ、内部の圧力ガスを噴出させて筒体中央の微粉末を加圧し、筒体の開口端を覆う薄い封板を圧し破って筒体先端から犯人などをめがけてに微粉末を放射する。
【００１５】
また請求項９〜１４の構成のものにおいては、警棒として使用することができるのみならず、中空棒状の筒体内に充填される微粉末が消火薬剤であるために、警備中に火災発生を発見した場合においては直ちに消火器として消火薬剤を放射して初期消火活動を実施することができる。
【００１６】
【発明の実施の形態】
以下において本発明の具体的な内容を図示の実施例をもとに説明すると、図１〜３には本発明の第１実施例があらわされている。  同図において１は筒体、２は筒体１の先端に取り付けられた栓体、３は該栓体の中央部に形成されたところの筒体内外に通じるノズル、４は該ノズル３の片側を閉塞すべく介在された薄い封板、６は筒体１内の基部寄りに内装固着された開封体、１０は筒体１内の基部、すなわち他方の端部寄りに内臓されたところの、開口部を上記開封体６に対向させて装入された微粉末圧し出し用の小型ガスボンベ、１１は該小型ガスボンベ１０を覆うべく筒体１の他方の端部寄りの部分、すなわち筒体１の基部に取り付けられたところの、筒体１の周方向に回転可能なグリップ、１２はロック装置、１３は筒体１内に充填された微粉末をあらわす。
【００１７】
筒体１は金属または硬質のプラスチック材等が用いられ、通常使用されている警棒に略匹敵する太さおよび長さを有するものとする。  また栓体２は金属類又は樹脂類、あるいは硬めのゴム材などが使用され、中央にノズル３を開設するとともに、該ノズル３にゴムキャップ３ａが嵌め込まれており、環状ゴムなどのシール材２ａを介在させて筒体１の先端開口部内周面に施された螺旋部に螺入させるなどの手法により取り付けられる。  さらに薄い封板４は例えばアルミ箔等のような、筒体１の内部に一定のガス圧がかかった場合に、その圧力により容易に破封する程度の材料のものが用いられ、ノズル３の内側開口面を閉塞すべく周囲を接着剤などにより栓体２に接着させる。
【００１８】
さらに、開封体６は金属又は硬質の樹脂材等を用いて筒体１内にシール材６ｂを介して気密に嵌装できる大きさに形成され、しかも中央部には片側に開口する穿孔室７が形成されている。  また穿孔室７内には反対側面に通じる通気孔６ａが開設されるとともに、該通気孔６ａには図３にあらわしたように先端を鋭突にした内部中空の穿針体８が埋め込まれている。  さらに開封体６の反対側面には通気孔６ａを塞ぐアルミ箔などの薄い封板６ｃが貼着されている。
【００１９】
また小型ガスボンベ１０は内部に炭酸ガスなどの高圧のガスが充填されるとともに開口部１０ａを薄い金属板の封板にて気密に覆われており、この開口部を前記した開封体６の穿孔室７内に、コイル状のバネ９を介して臨ませた状態にて筒体１の基部内に内臓される。  さらにグリップ１１は、底部１１ｂを有して断面Ｕ字状をなし、しかも筒体１の基部外周面に施された雄螺旋１ａに螺合させるべく、内周面に雌螺旋１１ａを施してある。
【００２０】
上記底部１１ｂをもって小型ガスボンベ１０の底部を支承し、グリップ１１を周方向に回転させることにより上記した雄螺旋１ａと雌螺旋１１ａの螺合する螺条に沿って小型ガスボンベ１０の先端開口部１０ａを、筒体奥方に固定された穿針体８に向けて進行させ、該穿針体８により小型ガスボンベ１０の開口部を閉塞している封板を破封することができる構造となっている。
【００２１】
このこの雄螺旋１ａと雌螺旋１１ａの螺旋は、グリップ１１の少ない回転によって該穿針体８を大きく進行させることができるよう、複数条に加工された螺旋であることが望ましい。  なお図において５は筒体１の基部近くに設けられた鍔、１２はグリップ１１の回転をロックするためのロック装置、Ｓはロック装置１２を常時グリップ１１方向に向けて付勢させるバネをあらわしている。
【００２２】
なお、本発明において使用される微粉末１３については、毒性がなく、また放射流動性に富み、煙幕効果や消火効果に優れているという点から、汎用の粉末ＡＢＣ消火薬剤のような既存の消火薬剤の使用が望ましい。また、威嚇効果などを高めるために一般的な催涙剤（例えば唐辛子成分や胡椒など）を含有することもできる。
【００２３】
さらに、威嚇や消火の用途を達成させるのに好ましい放射距離（３〜５ｍ程度）や適度な飛散拡散性を得るためには、既存の消火薬剤の一般的な粒子径よりさらに細かい微粉の使用が必要であり、好ましくは粒子径４５μｍ以下の粒子含有量が７５％以上であるものがよく、さらに好ましくは粒子径３８μｍ以下の粒子含有量が９０％以上であるものがよい。
【００２４】
上記した第１実施例の構成において、筒体１内部の微粉末を放射する場合には、まずクリップ１１に係合しているロック装置１２を図１（Ｂ）にあらわしたように矢印方向（同図において上方）に向けて移動させることによりロックを解除してから、グリップ１１を周方向（例えば時計方向）に回転させるとグリップ１１が筒体１の先端方向に進み出す。  これに伴って小型ガスボンベ１０が筒体１の奥方に向けて移動し、穿孔室７内においてコイル状のバネ９の付勢力に抗して穿針体８により開口部の封板１０ａが開封される。
【００２５】
封板の開封とともに、小型ガスボンベ１０内のガスが噴出し、穿針体８内および通気孔６ａを通じて薄い封板６ｃをガス圧で破り、筒体１の中央部に充填されている微粉末を圧しだし、さらに筒体１の先端に有する栓体２の薄い封板４を破ってノズル３から前方の犯人などに向けて微粉末１３を放射する。
【００２６】
さらに図４には本発明の第２実施例があらわされている。  同図において１４は筒体、１５は該筒体１４の先端寄りにシール材１８を介して気密に嵌装された開封体、２２はグリップ、２７は筒体１４内に充填される微粉末、２８は筒体１４の基部をあらわしている。  筒体１４の材質や太さ、および長さ等については前記第１実施例のものと略同様であるので説明を割愛する。
【００２７】
開封体１５は筒体１４内の先端寄りにシール材１８を介して気密に嵌装され、しかも中央部に通気孔１６を有すると共に、筒体１４の奥方側に金属製の薄い封板１９が取り付けられ、さらにその側面方向にはバネ２１により外方に向けて突出するロックボタン２０が設けられている。
【００２８】
またグリップ２２は、筒体１４の先端外周面に沿って周方向に回転可能な大きさであって、内周面には筒体１４の先端外周面に施された雄螺旋部に螺合可能な雌螺旋部を有しており、この両者により相互に周方向に回転させた場合に、グリップ２２が次第に筒体１４の基部２８方向に移動することができるように構成されている。
【００２９】
さらにグリップ２２の先端部にはノズル２３が開設されているとともに、該ノズル２３に接続されるテーパー穴Ｐ１を有し、しかも該テーパー穴Ｐ１に続いて鋭利な先端を前記した１５の通気孔１６に沿って封板１９に向けて進退自在にした中空の穿針体１７が一体に取り付けられた開封手段Ｐを有する。  なお２２ａはロック穴をあらわし、開封体１５より突出するロックボタン２０が突出係合するようになっている。
【００３０】
また基部２８は、端部開口に栓体２９が嵌め込まれ、しかも該栓体２９にはゴムキャップ３０が嵌め込まれている。  さらに筒体１４内には微粉末２７が充填されているとともに、該部粉末の加圧圧し出し手段として窒素ガス等の加圧ガスが蓄圧充填されている。  なお３１は鍔を示している。
【００３１】
上記した第２実施例の構成において、筒体１４内部の微粉末を放射する場合には、まずグリップ２２に係合しているロックボタン２０をバネ２１の付勢力に抗して内方に押し込んでロックを解除するとともに、一方の手でグリップ２２を握り、他方の手で基部２８を周方向に回転させる。
【００３２】
筒体１４は回転に伴ってグリップ２２の先端方向に移動する。  この際に封板１９が穿針体１７の鋭利な先端により開封され、同時に筒体１４内に蓄圧されたガスにより微粉末２７が通気孔１６を通り、薄い封板２６を破ってノズル２３から前方の犯人などに向けて放射される。  なお上記第１および第２いずれの実施例のものにおいても、筒体内に充填された微粉末が消火薬剤である場合においては、警備中に偶然発見した火災の初期消火活動を実施することができる。
【００３３】
【発明の効果】
本発明は上記した通り、本願の各発明は、中空棒状の筒体内に消火薬剤等の微粉末を充填するとともに、該筒体内に微粉末圧し出し用の小型ガスボンベを内臓し、あるいは微粉末圧し出し用の加圧ガスを蓄圧させたものであるために、警棒として使用できるほかに警備中必要に応じて犯人などに向けて微粉末を放射して威嚇することができ、また消火薬剤微粉末を充填してある場合には、火災発生を発見した際に、ただちに初期消火活動を実施することができる。
【図面の簡単な説明】
【図１】本発明の第１実施例である警棒の縦断面図および側面図。
【図２】図１における警棒の先端部を拡大してあらわした要部断面図。
【図３】図１における警棒の基部を拡大してあらわした要部断面図。
【図４】本発明の第２実施例である警棒の縦断面図および側面図。
【符号の説明】
１      筒体
２      栓体
２ａ    シール材
３      ノズル
３ａ    ゴムキャップ
４      薄い封板
５      鍔
６      開封体
６ａ    通気孔
６ｂ    シール材
６ｃ    薄い封板
７      穿孔室
８      穿針体
９      バネ
１０      小型ガスボンベ
１１      グリップ
１１ａ    雌螺旋
１１ｂ    底部
１２      ロック装置
１３      微粉末
１４      筒体
１５      開封体
１６      通気孔
１７      穿針体
１８      金属製の薄い封板
２０      ロックボタン
２１      バネ
２２      グリップ
２２ａ    ロック穴
２３      ノズル
２４      螺合螺旋部
２５      バネ
２６      薄い封板
２７      微粉末
２８      基部
２９      栓体
３０      ゴムキャップ
３１      フランジ
Ｐ        開封手段
Ｐ１      テーパー穴
【図１】
2004205096.tif 000003
【図２】
2004205096.tif 000004
【図３】
2004205096.tif 000005
【図４】
2004205096.tif 000006